【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
上部胴体用衣類であって：
ａ．内側の層および外側の層から形成された本体であり、前胸部を覆う部分と、前記前胸部を覆う部分から延在する少なくとも１つの胴体用バンドとを有する本体と；
ｂ．下方の折り目に沿って重畳された前記内側の層および外側の層と；
ｃ．前記下方の折り目に近接して、前記内側の層および外側の層の間に配置された、熱可塑性エラストマーフィルムを備える弾性バンドとを備え；
前記熱可塑性エラストマーフィルムのモジュラスは、７キログラムの静荷重で６０％伸びが計測された場合、約１．０と約４．０キログラムの間である、
上部胴体用衣類。
【請求項２】
前記熱可塑性フィルムは、ポリアミドを含む、
請求項１に記載の上部胴体用衣類。
【請求項３】
前記熱可塑性フィルムのモジュラスは、前記本体のモジュラスより高い、
請求項１に記載の上部胴体用衣類。
【請求項４】
前記熱可塑性エラストマーフィルムの厚さは、約０．１ｍｍと約０．３ｍｍの間である、
請求項１に記載の上部胴体用衣類。
【請求項５】
前記熱可塑性エラストマーフィルムの幅は、約０．７５インチ（１９．０５ｍｍ）と約１．２５インチ（３１．７５ｍｍ）の間である、
請求項１に記載の上部胴体用衣類。
【請求項６】
前記弾性バンドは、前記本体の前記内側の層および外側の層の少なくとも一の内表面に前記弾性バンドを接着剤で固定するために、少なくとも片面が塗布された、
請求項１に記載の上部胴体用衣類。
【請求項７】
前記本体は、丸編みされた本体である、
請求項１に記載の上部胴体用衣類。
【請求項８】
前記衣類は、ブラジャー、スポーツブラまたはキャミソールである、
請求項１乃至請求項７のいずれか１項に記載の上部胴体用衣類。
【請求項９】
上部胴体用衣類の形成方法であって：
ａ．中心の折り目で折った際に内側の層および外側の層を有する二重の衣類を形成するために、対称的な寸法とされた本体を編むステップと；
ｂ．７キログラムの静荷重で６０％伸びが計測された場合、モジュラスが約１．０と約４．０キログラムの間である熱可塑性エラストマーフィルムを備える、弾性バンドを選択するステップと；
ｃ．前記弾性バンドを前記折り目に近接して配置するステップと；
ｄ．ブラジャー本体の前記内側の層および外側の層を、前記折り目を中心に対称的に重畳し、前記弾性バンドを内包し、前胸部を覆う部分と、前記前胸部を覆う部分から延在する少なくとも１つの胴体用バンドを有する、二重のブラジャーを形成するステップとを備える；
上部胴体用衣類の形成方法。
【請求項１０】
前記熱可塑性エラストマーフィルムの厚さは、約０．１ｍｍと約０．３ｍｍの間である、
請求項９に記載の方法。
【請求項１１】
前記エラストマーフィルムは、ポリアミドを含む、
請求項９または請求項１０に記載の方法。
【請求項１２】
前記弾性バンドは、前記編まれた本体の前記内側の層および外側の層の少なくとも一の内表面に前記弾性バンドを接着剤で固定するために、少なくとも片面が塗布された、
請求項９に記載の方法。
【請求項１３】
特定の時間、加熱および加圧することによって、前記内側の層および外側の層の一つに前記弾性バンドを固定するステップを更に備える、
請求項９に記載の方法。
【請求項１４】
前記加熱の温度は、華氏約１５０度（６５．６℃）と３８０度（１９３℃）の間であり、
前記加圧の圧力は、約１０ポンド毎平方インチ（６８．９５ｋＰａ）と約１２０ポンド毎平方インチ（８２７．４ｋＰａ）の間であり、
前記時間は、約５秒と約９０秒の間である、
請求項１３に記載の方法。
【請求項１５】
前記加熱の温度は、華氏約３２０度（１６０℃）であり、
前記加圧の圧力は、約３０ポンド毎平方インチ（２０６．８ｋＰａ）と約６０ポンド毎
平方インチ（４１３．７ｋＰａ）の間であり、
前記時間は、約２０秒と約３０秒の間である、
請求項１４に記載の方法。
【請求項１６】
前記編むステップが、丸編みを含む、
請求項９乃至請求項１５のいずれか１項に記載の方法。
【請求項１７】
下部胴体用衣類であって：
ａ．一対の脚の開口部と、前記脚の開口部の間の股部と、ウエスト開口部とを含む本体と；
ｂ．上方の折り目に沿って内側の層および外側の層が重畳するように前記本体の一部を折ることによって、前記ウエスト開口部に形成されたウエストバンドと；
ｃ．前記上方の折り目に近接して、前記内側の層および外側の層の間に配置された、熱可塑性エラストマーフィルムを備える弾性バンドとを備え；
前記熱可塑性エラストマーフィルムのモジュラスは、７キログラムの静荷重で６０％伸びが計測された場合、約１．０と約４．０キログラムの間である、
下部胴体用衣類。
【請求項１８】
前記熱可塑性エラストマーフィルムの厚さは、約０．１ｍｍと約０．３ｍｍの間である、
請求項１７に記載の下部胴体用衣類。
【請求項１９】
前記熱可塑性フィルムは、ポリアミドを含む、
請求項１７または請求項１８に記載の下部胴体用衣類。
【請求項２０】
前記熱可塑性フィルムのモジュラスは、前記本体のモジュラスより高い、
請求項１８に記載の下部胴体用衣類。
【請求項２１】
前記弾性バンドは、前記本体の前記内側の層および外側の層の少なくとも一の内表面に
前記弾性バンドを接着剤で固定するために、少なくとも片面が塗布された、
請求項１７に記載の下部胴体用衣類。
【請求項２２】
前記本体は、丸編みされた本体である、
請求項１７に記載の下部胴体用衣類。
【請求項２３】
前記衣類は、ボクサー、ブリーフ、ボクサーブリーフ、パンティ、パンティストッキング、または矯正下着である、
請求項１７乃至請求項２２のいずれか１項に記載の下部胴体用衣類。
【請求項２４】
前記熱可塑性エラストマーフィルムのモジュラスは、７キログラムの静荷重で４０％伸びが計測された場合、約１．０キログラム超である、
請求項１に記載の上部胴体用衣類。
【請求項２５】
前記衣類の内側の層および外側の層を加えた、前記熱可塑性エラストマーフィルムのモジュラスは、７キログラムの静荷重で６０％伸びが計測された場合、約１．０と約４．０キログラムの間である、
請求項１に記載の上部胴体用衣類。
【請求項２６】
前記熱可塑性エラストマーフィルムのモジュラスは、７キログラムの静荷重で４０％伸びが計測された場合、約１．０キログラム超である、
請求項９に記載の方法。
【請求項２７】
前記衣類の内側の層および外側の層を加えた、前記熱可塑性エラストマーフィルムのモジュラスは、７キログラムの静荷重で６０％伸びが計測された場合、約１．０と約４．０キログラムの間である、
請求項９に記載の方法。
【請求項２８】
前記熱可塑性エラストマーフィルムのモジュラスは、７キログラムの静荷重で４０％伸びが計測された場合、約１．０キログラム超である、
請求項１７に記載の下部胴体用衣類。
【請求項２９】
前記衣類の内側の層および外側の層を加えた、前記熱可塑性エラストマーフィルムのモジュラスは、７キログラムの静荷重で６０％伸びが計測された場合、約１．０と約４．０キログラムの間である、
請求項１７に記載の下部胴体用衣類。
【手続補正２】
【補正対象書類名】明細書
【補正対象項目名】００３０
【補正方法】変更
【補正の内容】
【００３０】
前述の記載および例は、本発明を説明するためのものであると理解されるべきである。当業者は、本発明の精神と範囲から逸脱することなく、種々の代替および改変例を考案することが可能である。従って、本発明は、そのような全ての代替、改変、変更を包含することを意図する。
［第１の局面］
上部胴体用衣類であって：
ａ．内側の層および外側の層から形成された本体であり、前胸部を覆う部分と、前記前胸部を覆う部分から延在する少なくとも１つの胴体用バンドとを有する本体と；
ｂ．下方の折り目に沿って重畳された前記内側の層および外側の層と；
ｃ．前記下方の折り目に近接して、前記内側の層および外側の層の間に配置された弾性バンドとを備える；
上部胴体用衣類。
［第２の局面］
前記弾性バンドは、熱可塑性エラストマーフィルムを備える、
第１の局面に記載の上部胴体用衣類。
［第３の局面］
前記熱可塑性フィルムは、ポリアミドを含む、
第２の局面に記載の上部胴体用衣類。
［第４の局面］
前記熱可塑性フィルムのモジュラスは、前記本体のモジュラスより高い、
第２の局面に記載の上部胴体用衣類。
［第５の局面］
前記熱可塑性フィルムのモジュラスは、７キログラムの静荷重で６０％伸びが計測された場合、約１．０と約４．０キログラムの間である、
第２の局面に記載の上部胴体用衣類。
［第６の局面］
前記熱可塑性エラストマーフィルムの厚さは、約０．１ｍｍと約０．３ｍｍの間である、
第２の局面に記載の上部胴体用衣類。
［第７の局面］
前記熱可塑性エラストマーフィルムの幅は、約０．７５インチ（１９．０５ｍｍ）と約１．２５インチ（３１．７５ｍｍ）の間である、
第２の局面に記載の上部胴体用衣類。
［第８の局面］
前記弾性バンドは、前記本体の前記内側の層および外側の層の少なくとも一の内表面に前記弾性バンドを接着剤で固定するために、少なくとも片面が塗布された、
第１の局面に記載の上部胴体用衣類。
［第９の局面］
前記本体は、丸編みされた本体である、
第１の局面に記載の上部胴体用衣類。
［第１０の局面］
前記衣類は、ブラジャー、スポーツブラまたはキャミソールである、
第１の局面乃至第９の局面のいずれか１の局面に記載の上部胴体用衣類。
［第１１の局面］
上部胴体用衣類の形成方法であって：
ａ．中心の折り目で折った際に内側の層および外側の層を有する二重の衣類を形成するために、対称的な寸法とされた本体を編むステップと；
ｂ．弾性バンドを前記折り目に近接して配置するステップと；
ｃ．ブラジャー本体の前記内側の層および外側の層を、前記折り目を中心に対称的に重畳し、前記弾性バンドを内包し、前胸部を覆う部分と、前記前胸部を覆う部分から延在する少なくとも１つの胴体用バンドを有する、二重のブラジャーを形成するステップとを備える；
上部胴体用衣類の形成方法。
［第１２の局面］
前記弾性バンドは、熱可塑性エラストマーフィルムを備える、
第１１の局面に記載の方法。
［第１３の局面］
前記エラストマーフィルムは、ポリアミドを含む、
第１２の局面に記載の方法。
［第１４の局面］
前記弾性バンドは、前記編まれた本体の前記内側の層および外側の層の少なくとも一の内表面に前記弾性バンドを接着剤で固定するために、少なくとも片面が塗布された、
第１１の局面に記載の方法。
［第１５の局面］
特定の時間、加熱および加圧することによって、前記内側の層および外側の層の一つに前記弾性バンドを固定するステップを更に備える、
第１１の局面に記載の方法。
［第１６の局面］
前記加熱の温度は、華氏約１５０度（６５．６℃）と３８０度（１９３℃）の間であり、
前記加圧の圧力は、約１０ポンド毎平方インチ（６８．９５ｋＰａ）と約１２０ポンド毎平方インチ（８２７．４ｋＰａ）の間であり、
前記時間は、約５秒と約９０秒の間である、
第１５の局面に記載の方法。
［第１７の局面］
前記加熱の温度は、華氏約３２０度（１６０℃）であり、
前記加圧の圧力は、約３０ポンド毎平方インチ（２０６．８ｋＰａ）と約６０ポンド毎
平方インチ（４１３．７ｋＰａ）の間であり、
前記時間は、約２０秒と約３０秒の間である、
第１６の局面に記載の方法。
［第１８の局面］
前記編むステップが、丸編みを含む、
第１１の局面乃至第１７の局面のいずれか１の局面に記載の方法。
［第１９の局面］
下部胴体用衣類であって：
ａ．一対の脚の開口部と、前記脚の開口部の間の股部と、ウエスト開口部とを含む本体と；
ｂ．上方の折り目に沿って内側の層および外側の層が重畳するように前記本体の一部を折ることによって、前記ウエスト開口部に形成されたウエストバンドと；
ｃ．前記上方の折り目に近接して、前記内側の層および外側の層の間に配置された弾性バンドとを備える；
下部胴体用衣類。
［第２０の局面］
前記弾性バンドは、熱可塑性エラストマーフィルムを備える、
第１９の局面に記載の下部胴体用衣類。
［第２１の局面］
前記熱可塑性フィルムは、ポリアミドを含む、
第２０の局面に記載の下部胴体用衣類。
［第２２の局面］
前記熱可塑性フィルムのモジュラスは、前記本体のモジュラスより高い、
第２０の局面に記載の下部胴体用衣類。
［第２３の局面］
前記弾性バンドは、前記本体の前記内側の層および外側の層の少なくとも一の内表面に
前記弾性バンドを接着剤で固定するために、少なくとも片面が塗布された、
第１９の局面に記載の下部胴体用衣類。
［第２４の局面］
前記本体は、丸編みされた本体である、
第１９の局面に記載の下部胴体用衣類。
［第２５の局面］
前記衣類は、ボクサー、ブリーフ、ボクサーブリーフ、パンティ、パンティストッキング、または矯正下着である、
第１９の局面乃至第２４の局面のいずれか１の局面に記載の下部胴体用衣類。